(57)【特許請求の範囲】
【請求項１】
枢軸を軸に大入賞口を開閉する開閉扉と、
遊技盤の前面に固定され該開閉扉を取り付けるための開口を有する意匠板と、  該意匠板の背面側に固定され、該開閉扉を開閉作動し入賞球を検出するための機構部品及び電気部品を収納する本体ケースと、
該意匠板の背面側に位置する該本体ケースの上部を覆って取り付けられる蓋体と、
を備え、水平状態の該本体ケースに対し該意匠板が垂直に位置するパチンコ遊技機の可変入賞装置において、
前記本体ケース内に、仕切板によって仕切られた複数の収納室が、前記機構部品及び電気部品を、該本体ケースの上から載置して収納可能に形成され、該本体ケースと該蓋体の縁部に取付孔が、該本体ケースと該蓋体の平面と垂直方向に穿設され、前記蓋体が該本体ケース上に被せた状態で該取付孔に取付ねじを上方からねじ込み締付固定されると同時に、前記機構部品及び電気部品が各々定位置に固定されることを特徴とするパチンコ遊技機の可変入賞装置。
【請求項２】
前記本体ケースと前記蓋体を固定する際、前記意匠板を同時に固定することを特徴とする請求項１記載のパチンコ遊技機の可変入賞装置。
【請求項３】
前記意匠板の背面の両側に取付凸部が突設され、該取付凸部に取付孔が穿設され、該取付凸部が前記本体ケースと前記蓋体の固定部間に挟まれ、前記取付ねじにより共締めされて該意匠板が該本体ケースの前部に取り付けられることを特徴とする請求項１記載のパチンコ遊技機の可変入賞装置。
【請求項４】
前記枢軸を収納する軸受凹部を前記本体ケースに設け、該軸受凹部に枢軸を収納した状態で、前記本体ケースに対し前記蓋体を固定することにより、前記開閉扉を開閉自在に取り付けることを特徴とする請求項１記載のパチンコ遊技機の可変入賞装置。
【請求項５】
前記蓋体上に凹部が形成され、該凹部に前記電気部品のリード線を中継する中継基板が装着されたことを特徴とする請求項１記載のパチンコ遊技機の可変入賞装置。
【発明の詳細な説明】
【０００１】
【発明の属する技術分野】
本発明は、パチンコ遊技機の可変入賞装置に関し、特に組立時に意匠板や開閉扉の意匠面を傷つけず、その組立作業性を向上させることができる可変入賞装置に関する。
【０００２】
【従来の技術】
遊技球が始動入賞口に入賞すると、図柄変動表示装置が作動して複数の図柄列が変動表示され、所定の判定ライン上に図柄が揃って停止したとき、大当たり状態として大入賞口に設けられた開閉扉を開閉動作させるパチンコ遊技機の可変入賞装置が知られている。
【０００３】
【発明が解決しようとする課題】
この種の可変入賞装置は、基本的には、遊技盤の盤面に配置される意匠板の背面側に本体ケースをねじ止めし、意匠板に設けた開口には開閉扉を開閉可能に枢支し、本体ケース内には、その開閉扉の開閉用のリンク機構、継続入賞口に入賞球を入り易くするように切り換える切換部材等が組み付けられると共に、開閉駆動用の電磁ソレノイド、切換用の電磁ソレノイドがねじ止めされ、さらに、入賞球を検出するための球検出器が組み付けられ、本体ケース上に蓋体がねじ止めされる構造である。
【０００４】
このため、可変入賞装置を組み立てる際には、各種リンク機構の部品や電磁ソレノイド、球検出器等の電気部品等を本体ケースの定位置に配置してねじ止めするという細かい多くの組み付け作業を必要とし、また、部品の小型化によってその組み付け作業の作業性が悪化し、組み付け工数や組み付け時間が多くかかるという問題があった。
【０００５】
さらに、従来の可変入賞装置は、組立の際、意匠板の背面側に本体ケースをねじ止めすると共に、本体ケース内に各種の機構部品や電気部品を組み付けるが、その場合、意匠面をなす意匠板や開閉扉の正面に対し、締付固定用のねじを背面側から垂直にねじ込んで、組み付ける構造を採用していた。このため、可変入賞装置の組立作業時には組み付けのし易さから、意匠面を下にして、ねじを立てた状態で、上から真下にねじをねじ孔にねじ込む作業を行なうため、意匠面に荷重がかかりそこを傷つけてしまうという問題があった。
【０００６】
本発明は、上記の点に鑑みてなされたもので、組付作業性が良好で、意匠面を傷つけずに組み立てることができる可変入賞装置を提供することを目的とする。
【０００７】
【課題を解決するための手段】
上記目的を達成するために、本発明の可変入賞装置は、枢軸を軸に大入賞口を開閉する開閉扉と、遊技盤の前面に固定され開閉扉を取り付けるための開口を有する意匠板と、意匠板の背面側に固定され、開閉扉を開閉作動し入賞球を検出するための機構部品及び電気部品を収納する本体ケースと、意匠板の背面側に位置する本体ケースの上部を覆って取り付けられる蓋体と、を備え、水平状態の本体ケースに対し意匠板が垂直に位置するパチンコ遊技機の可変入賞装置において、本体ケース内に、仕切板によって仕切られた複数の収納室が、機構部品及び電気部品を、本体ケースの上から載置して収納可能に形成され、本体ケースと蓋体の縁部に取付孔が、本体ケースと蓋体の平面と垂直方向に穿設され、蓋体が本体ケース上に被せた状態で取付孔に取付ねじを上方からねじ込み締付固定されると同時に、機構部品及び電気部品が各々定位置に固定されることを特徴とする。
【０００８】
【作用】
このような構成の可変入賞装置は、組み立てる場合、本体ケースを水平に載置した状態で、本体ケース内の各収納室に、機構部品や電気部品を上から定位置に置くように収納し、その上から蓋体を被せ、取付ねじを真上から下方に向けてねじ込むだけで、簡単に可変入賞装置を組み立てることができる。また、組立作業は、本体ケースを水平状態とし、前面の意匠板を垂直に立てた状態で作業を行ない、取付ねじの締付作業もその状態で行なうことができるから、意匠板や開閉扉の前面（意匠面）を作業台の上等に押し付けることがなく、意匠板や開閉扉を傷つけずに良好に組立作業を行なうことができる。
【０００９】
また、請求項２のように、本体ケースと蓋体を固定する際、意匠板を同時に固定する構造とすれば、さらに、効率よく組み立てることができる。
【００１０】
さらに、請求項３のように、意匠板の背面の両側に取付凸部を突設し、取付凸部に取付孔を穿設し、取付凸部を本体ケースと蓋体の固定部間に挟むようにはめ込み、取付ねじにより本体ケースと蓋体の固定部と意匠板の取付凸部を共締めするように固定すれば、意匠板、本体ケース、及び蓋体を共通のねじ締め作業で迅速に固定することができる。
【００１１】
【発明の実施の形態】
以下、本発明の実施の形態を図面に基づいて説明する。図１、図２はパチンコ遊技機の可変入賞装置１の斜視図を示し、図３はその分解斜視図を示している。２はパチンコ遊技機の遊技盤の前面に配置して取付られる意匠板であり、四隅に取付孔２ａが穿設され、中央に矩形の開口として大入賞口６が開口・形成され、その大入賞口６内に開閉扉５が開閉可能に配置される。意匠板２の背面側には、図４に示すように、２箇所に取付凸部２ｂが突設され、取付凸部２ｂには取付孔２ｃが上下方向（垂直方向）に穿設される。
【００１２】
図３、図４の分解図において、３は意匠板２の背面側に固定される本体ケースであり、本体ケース３の前部には、大入賞口６から進入した遊技球を内側の可変入賞口７と継続入賞口８に導く板状の球受部３ｂが設けられ、その球受部３ｂの両側に、軸受凹部３ａが設けられる。この軸受凹部３ａは開閉扉５の両側に嵌着された枢軸５ａを収納して支持する軸受部となる。板状の球受部３ｂの後方には円孔状の可変入賞口７と継続入賞口８と始動入賞検出口９が仕切板を介して設けられる。さらに、球受部３ｂの奥には切換部材６の軸を縦に支持するための軸受部３ｆが形成される。本体ケース３の前部の一方の側に、後述の開閉第一リンク１１と開閉第二リンク１２を収納可能な開閉リンク収納室２１が仕切板によって形成され、開閉リンク収納室２１の両側に、開閉リンク１２の軸を支持する軸受部３ｃが両側に設けられる。
【００１３】
さらに、本体ケース３内の開閉リンク収納室２１の後方には、後述の開閉用の電磁ソレノイド１３を適正な位置に収納可能な開閉用電磁ソレノイド収納室２２が仕切板により形成される。開閉用電磁ソレノイド収納室２２の左隣には円孔状の可変入賞口７を設けた球検出器収納室２５が、そこに入る球を検出する球検出器１７を適正位置に収納可能に、仕切板で周囲を仕切って形成される。
【００１４】
さらに、球検出器収納室２５の左隣には切換リンク収納室２３と切換用電磁ソレノイド収納室２４が形成される。切換リンク収納室２３は後述の切換リンク１５を収納可能に仕切板によって形成され、切換用電磁ソレノイド収納室２４は切換用の電磁ソレノイド１６を適正位置に収納可能に仕切板によって形成される。さらに、切換用電磁ソレノイド収納室２４の左隣には円孔状の継続入賞口８を設けた球検出器用収納室２６が併設され、さらに、その左隣に始動入賞検出口９を設けた球検出器用収納室２７が併設される。球検出器用収納室２６と２７は継続入賞口８または始動入賞検出口９に入る球を検出する球検出器１８と１９を適正位置に収納可能に仕切板で周囲を仕切って形成される。球検出器１７、１８、１９には球を通過させる円孔を有する近接スイッチ式の検出器が使用される。
【００１５】
本体ケース３の上部は開口し、その開口する上部には蓋体４が被せられるが、被せた蓋体４を固定するための固定部３ｄが本体ケース３の上部の略四隅に形成され、それらの固定部３ｄの上水平面には、取付ねじ２９をねじ込んで固定するための取付孔３ｅが設けられ、さらに、位置決めピン３０が突設される。本体ケース３の前部両側の固定部３ｄは、図４のように、意匠板２の背面の取付凸部２ｂを、蓋体４と本体ケース３との間で挟んで共に締付固定するように、固定部３ｄは一段下げて形成される。
【００１６】
蓋体４は、図３、図４に示すように、本体ケース３の上部を覆って閉鎖可能な箱形形状に形成され、その略四隅には、本体ケース３の四隅の固定部３ｄに対応した固定部４ａが一段下げた位置に形成され、その固定部４ａに取付孔４ｂが取付ねじ２９を下向きに挿通可能に穿設され、上記位置決めピン３０を挿入するための位置決め孔４ｄが穿設される。さらに、蓋体４上の後部の一方側には中継基板２８を装着するための矩形の凹部４ｃが形成される。
【００１７】
本体ケース３の前部に開閉可能に取り付けられる開閉扉５は、電磁ソレノイド１３のプランジャ１３ａの引き戻し動作によって開放されるが、この動作を行なうために、プランジャ１３ａは開閉第一リンク１１、開閉第二リンク１２を介して開閉扉５に連結される。開閉第一リンク１１は、軸部１１ａと係合長孔１１ｂを有し、プランジャ１３ａの先端が開閉第一リンク１１の後部に連結され、上記開閉リンク収納室２１内の定位置に移動可能に収納される。
【００１８】
また、開閉第二リンク１２は、両側に突設した軸部１２ｂと上記開閉第一リンク１１の軸部１１ａが係合する係合凹部１２ａと、開閉扉５の係合部と係合する係合凸部１２ｃを有している。この開閉第二リンク１２は、その軸部１２ｂを本体ケース３の軸受部３ｃに係合させ、開閉第一リンク１１の軸部１１ａをその係合凹部１２ａに係合させた状態で回動可能に、開閉第一リンク１１と共に本体ケース３の開閉リンク収納室２１内に収納される。この状態で、開閉扉５の係合部は開閉第二リンク１２係合凸部１２ｃと係合した状態にあり、電磁ソレノイド１３のプランジャ１３ａの引き戻し動作により、開閉扉５は外側に開く。
【００１９】
大入賞口６から進入した球を継続入賞口８側に切り換えて導くように動作する切換部材１４は、縦に設けられた主軸１４ａと軸部１４ｂを有し、主軸１４ａの下部を本体ケース３側の軸受部３ｆにはめ込み回動可能に装着される。さらに、電磁ソレノイド１６のプランジャ１６ａの先端に連結される切換リンク１５は、上記切換部材１４の軸部１４ｂに係合する係合長孔１５ａを有し、切換部材１４と係合して本体ケース３の切換リンク収納室２３内に移動可能に収納される。電磁ソレノイド１６がそのプランジャ１６ａを引き戻し作動すると、切換部材１４は図５の下側に回動し、大入賞口６から進入した球を継続入賞口８側に切り換えて導くように動作する。
【００２０】
上記構成の可変入賞装置を組み立てる場合、図３に示すように、本体ケース３を水平に置いた状態で、その前部の軸受凹部３ａに開閉扉５の枢軸５ａを収納して開閉扉５を取り付け、開閉第一リンク１１と開閉第二リンク１２を係合させ、開閉第二リンク１２の係合凸部１２ｃを開閉扉５の係合部に係合させ、開閉リンク収納室２１内の定位置に収納し、あわせて電磁ソレノイド１３を開閉用電磁ソレノイド収納室２２内の定位置に収納し、コイルばね１３ｂを外嵌して装着されたプランジャ１３ａの先端を開閉第一リンク１１に連結させる。
【００２１】
さらに、その隣の球検出器用収納室２５内の定位置に球検出器１７を収納し、その隣の切換用電磁ソレノイド収納室２４に、電磁ソレノイド１６を定位置に収納し、その前方の切換リンク収納室２３には切換リンク１５を収納する。そして、コイルばね１６ｂを外嵌して装着された電磁ソレノイド１６のプランジャ１６ａの先端を切換リンク１５の端部に連結し、その前方に切換部材１４を軸受部３ｆにその主軸１４ａを回動可能に差し込んで配置し、その軸部１４ｂを切換リンク１５の係合長孔１５ａに係合させる。
【００２２】
さらに、その隣の球検出器用収納室２６、２７内の定位置に球検出器１８、１９を収納し、そして、本体ケース３の正面側に意匠板２を配置してその取付凸部２ｂを、図５のように本体ケース３の前部の固定部３ｄ上に載置した状態で、本体ケース３の上に蓋体４を、その固定部３ｄの位置決めピン３０にその位置決め孔４ｄをはめ込むように位置決めして被せ、蓋体４上の凹部４ｃに中継基板２８を取り付ける。
【００２３】
この状態で、４本の取付ねじ２９を上方から真下に向けて垂直に、蓋体４の固定部４ａの取付孔４ｂに差し込み、締付・固定する。同時に各々の機構部品及び電気部品は定位置に固定される。前部２本の取付ねじ２９は意匠板の取付孔２ｃを貫通して本体ケース３の取付孔３ｅにねじ込まれ、後部２本の取り付けねじ２９はそのまま本体ケース３の取付孔３ｅにねじ込まれ、固定される。そして、中継基板２８上に電磁ソレノイド、球検出器等のコネクタを差し込んで組立を完了する。
【００２４】
このように、本体ケース３を水平に載置した状態で、本体ケース３内の各収納室に、機構部品や電気部品を上から定位置に置くように収納し、その上から蓋体４を被せ、取付ねじ２９を真上から下方に向けてねじ込むだけで、簡単に可変入賞装置１を組み立てることができ、高い作業効率で短時間で組立作業を行なうことができる。また、組立は、本体ケース３を水平状態とし、前面の意匠板２を立てた状態で作業を行ない、取付ねじ２９の締付作業もその状態で行なうことができるから、意匠板２を作業台の上等に押し付けることがなく、意匠板を傷つけずに良好に組立作業を行なうことができる。さらに、開閉扉５は、その両側の枢軸５ａを、本体ケース３の前部両側の軸受凹部３ａに収納した状態で、蓋体４を被せて固定するだけで簡単に、開閉可能に組み付けることができる。
【００２５】
図８〜図１０は他の実施例を示し、この例では意匠板４２を本体ケース４３に対し固定する部分に、水平方向からねじ込む別の２本取付ねじ５９を使用している。本体ケース４３の収納室や電磁ソレノイドのリンク機構、蓋体４等の構造は、上記実施例と同様であり、これら同様の部分については、上記実施例と同じ符号を付して、その説明を省略する。
【００２６】
すなわち、図９に示すように、この実施例では、意匠板４２の背面の両側に、水平方向から取付ねじ５９をねじ込むための固定部４２ａが突設され、その固定部４２ａには水平方向にねじ孔が穿設される。ねじ孔の下側には位置決めピン４２ｂが突設される。一方、本体ケース４３の両側部には、板状の取付部４３ａが突設され、そこには取付孔４３ｂと位置決め孔４３ｃが穿設される。
【００２７】
意匠板４２を本体ケース４３の前部に取り付ける場合、図９に示すように、その固定部４２ａを本体ケース４３の取付部４３ａに合わせ、位置決めピン４２ｂをその位置決め孔４３ｃに嵌入させて位置決めし、２本の取付ねじ５９を後方から、取付孔４３ｂに挿入し、意匠板４２の固定部４２ａ側のねじ孔にねじ込み、締付固定する。この場合、意匠板４２を傷つけないようにするために、水平方向から取付ねじ５９をねじ込むが、２本の取付ねじ５９で意匠板４２を固定するだけの簡単な作業であるから、簡単に取付作業を行なうことができる。
【００２８】
その後、本体ケース４３内の各収納室に、機構部品や電気部品を上から定位置に置くように収納し、その上から蓋体４を被せ、取付ねじ２９を真上から下方に向けてねじ込むようにして、組立作業を行なう。その作業は、上記実施例と同様であり、簡単で作業性の良い作業であり、良好な作業効率で可変入賞装置１を組み立てることができ、また、意匠板４２を作業台の上等に押し付けることがなく、意匠板を傷つけずに組立作業を行なうことができる。
【００２９】
【発明の効果】
以上説明したように、本発明のパチンコ遊技機の可変入賞装置によれば、本体ケースを水平に載置した状態で、本体ケース内の各収納室に、機構部品や電気部品を上から定位置に置くように収納し、その上から蓋体を被せ、取付ねじを真上から下方に向けてねじ込むだけで、簡単に可変入賞装置を組み立てることがで、組付作業性の向上を図ることができる。また、組立作業は、本体ケースを水平状態とし、前面の意匠板を垂直に立てた状態で作業を行ない、取付ねじの締付作業もその状態で行なうことができるから、意匠板や開閉扉の前面を作業台の上等に押し付けることがなく、意匠板や開閉扉を傷つけずに良好に組立作業を行なうことができる。
【図面の簡単な説明】
【図１】本発明の一実施形態を示す可変入賞装置の斜視図である。
【図２】同可変入賞装置の背面からの斜視図である。
【図３】同可変入賞装置の分解斜視図である。
【図４】主要部品の背面からの分解斜視図である。
【図５】機構部品、電気部品を本体ケース内に収納した状態の分解斜視図である。
【図６】組み付けた状態の背面からの斜視図である。
【図７】開閉扉を開いた状態の斜視図である。
【図８】他の実施例を示す可変入賞装置の斜視図である。
【図９】他の実施例の分解斜視図である。
【図１０】他の実施例の開閉扉を開いた状態の斜視図である。
【符号の説明】
１−可変入賞装置
２−意匠板
２ａ、２ｃ−取付孔
２ｂ−取付凸部
３−本体ケース
３ａ−軸受凹部
３ｅ−取付孔
４−蓋体
４ｂ−取付孔
５−開閉扉
５ａ−枢軸
６−大入賞口
２９−取付ねじ
【図１】
0004017820.tif 000002
【図２】
0004017820.tif 000003
【図３】
0004017820.tif 000004
【図４】
0004017820.tif 000005
【図５】
0004017820.tif 000006
【図６】
0004017820.tif 000007
【図７】
0004017820.tif 000008
【図８】
0004017820.tif 000009
【図９】
0004017820.tif 000010
【図１０】
0004017820.tif 000011